(57)【要約】本実施の形態１に係る商品の販売方法を実行するための構成は、インターネット１００と、眼鏡販売元（商品販売元）が管理する商品販売支援手段（眼鏡販売支援手段）１０と、各々の眼鏡販売店（商品販売先）が管理する商品購入支援手段３１１、３１２、・・・、３１ｎとで概略構成され、予め登録された複数の商品販売先から、インターネットを介して、希望商品購入価格や販売支援サービスに関する入札データを受付けることで、売買双方の利益を確保しつつ、規模の異なる商品販売先毎に、効率よいサービス支援や販売価格設定を行い、価格調整を容易にできる商品の販売方法及び商品の購入方法に関する技術を提供する点にある。
2002039334.tif 000002
【特許請求の範囲】
【請求項１】
入札を利用した商品の販売方法であって、
卸売りなどを行う商品販売元の商品販売支援手段が、予め登録された商品販売先の商品購入支援手段からインターネットなどのネットワークを介して商品購入希望価格の入札データを受付ける第１のステップと、
前記商品購入希望価格が、予め設定され、内容が守秘された最低商品販売価格以上の場合、該当する商品販売先と商品販売契約を結ぶ第２のステップとを備える
ことを特徴とする商品の販売方法。
【請求項２】
前記第２のステップは、複数のグループ毎に登録された前記商品販売先からの前記商品購入希望価格が、前記グループ毎に設定された前記最低商品販売価格以上かどうか判断し、前記最低商品販売価格以上の前記商品購入希望価格を送信した前記商品販売先と前記商品販売契約を結ぶステップを含むことを特徴とする請求項１に記載の商品の販売方法。
【請求項３】
前記第２のステップは、予め、季節変動や前記商品販売先に対応する前記商品の送付先、注文数量、為替レート、納期など価格設定に影響する要素に基づき、前記グループ毎に登録された各々前記商品販売先毎に、前記最低商品販売価格を設定するステップを含むことを特徴とする請求項１又は２に記載の商品の販売方法。
【請求項４】
前記第１のステップは、所定の期間毎に締め切られる前記入札データついて、同一の商品販売先からの商品購入希望価格の受付回数に上限を設ける第３のステップを含むことを特徴とする請求項１乃至３のいずれかに記載の商品の販売方法。
【請求項５】
前記第２のステップは、価格設定に影響する前記要素や需給状況に従い、内容が守秘された前記最低商品販売価格を、予め公表するステップを含むことを特徴とする請求項１乃至４のいずれかに記載の商品の販売方法。
【請求項６】
前記第１のステップは、前記商品購入希望価格に対する最大数量、又は、最低数量を受付けるステップを含むことを特徴とする請求項１乃至５のいずれかに記載の商品の販売方法。
【請求項７】
前記商品販売支援手段は、前記商品販売契約を結んだ商品販売先、又は、一般の商品販売先に、二次元バーコードを利用したＰＯＳを貸出し、該ＰＯＳを利用した前記商品販売先における商品在庫の情報を受信し、前記商品販売先における商品在庫の管理を行うことで、商品の売れ筋を把握することを特徴とする請求項１乃至６のいずれかに記載の商品の販売方法。
【請求項８】
前記商品販売支援手段は、
前記商品販売契約を結んだ商品販売先、又は、一般の商品販売先に設置された商品販売手段から、視力や体型などの測定結果と、ユーザによる商品の使われ方など使用環境とを含む前記ユーザに関するデータをインターネットなどのネットワークを介して受信し、
登録された商品に関するデータベースの中から、前記ユーザに関するデータに基づき、最適な商品を選択し、
予め登録されている商品製造者を含む商品供給者の中から最適な商品供給者を選択し、
最適な前記商品に関するデータを、前記商品販売支援手段から前記ネットワークを介して、選択された前記商品供給者の商品製造手段、又は、端末に送信し、前記商品の供給指示を行う
ことを特徴とする請求項１乃至７のいずれかに記載の商品の販売方法。
【請求項９】
前記商品販売支援手段が、ユーザに関するデータを受信したとき、前記ユーザからの前記商品に関する質問を受付け、前記ユーザに前記質問に対する回答やアドバイスを、前記ネットワークを介して送信することを特徴とする請求項１乃至８のいずれかに記載の商品の販売方法。
【請求項１０】
前記商品の供給指示を行う場合、複数の前記商品供給者の商品製造手段、又は、端末に最適な前記商品に関するデータと見積依頼とを送信し、前記商品供給者から送信された製品価格と納期を含む見積条件に基づき最適な商品供給者を選択して、選択された最適な前記商品供給者に前記商品の供給を指示することを特徴とする請求項１乃至９のいずれかに記載の商品の販売方法。
【請求項１１】
最適な商品を選択するとき、
前記使用環境、眼鏡の色やデザインなどユーザの嗜好を含む前記ユーザに関するデータと、レンズの特性と眼鏡フレームの特性とを有する前記商品に関するデータベースと、視力などの検眼データと３次元撮像技術を利用した顔面データとを有する前記測定結果とに基づき、前記データベースからレンズと眼鏡フレームとを選択して前記商品である眼鏡に組合わせ、
前記顔面データと、レンズと眼鏡フレームとが組み合わされた前記眼鏡とを合成した前記ユーザの眼鏡着装画像を、前記ネットワークを介して、前記商品販売手段に送信し、前記ユーザに最適な眼鏡の選択に対する確認を促す
ことを特徴とする請求項１乃至１０のいずれかに記載の商品の販売方法。
【請求項１２】
前記商品の供給指示を行う場合、ユーザにより選択された最適な前記眼鏡に関するデータに含まれる前記レンズの特性と前記眼鏡フレームの特性と、前記ユーザの嗜好のデータとに基づき、予め前記ネットワークのサーバーに登録された複数の前記商品供給者の中から最適な商品供給者である眼鏡供給者を選択して、前記眼鏡の供給を指示することを特徴とする請求項１乃至１１のいずれかに記載の商品の販売方法。
【請求項１３】
前記ＰＯＳに二次元バーコード、三次元バーコードを含むバーコードやＯＣＲなどの記号・文字読取り技術を利用することを特徴とする請求項７に記載の商品の販売方法。
【請求項１４】
請求項１乃至１３のいずれかに記載の商品の販売方法における商品販売支援手段が、商品購入先の端末からインターネットなどのネットワークを介して商品販売希望価格の入札データを受付け、
前記商品販売希望価格が、予め設定され、内容が守秘された最高商品購入価格以下／未満に該当する商品購入先、又は、最低の商品販売希望価格に該当する商品購入先から該当する商品を購入する商品売買契約を結ぶ
ことを特徴とする商品の購入方法。
【請求項１５】
予め登録されたユーザに対して販売された商品が、一般販売網において前記商品を特定できる商品コードが設定されている場合、前記ユーザから、予め登録された他の一般販売網における前記商品の販売時における第１の販売価格より低い第２の販売価格の情報をインターネットなどのネットワークを介して受取ったとき、前記ユーザへの販売価格を前記第１の販売価格から前記第２の販売価格に価格置換することを特徴とする請求項１乃至１３のいずれかに記載の商品の販売方法。
【請求項１６】
販売時の第１の販売価格からユーザ情報による第２の販売価格への価格置換は、予め設定された販売価格以上の（より高い）場合に行うことを特徴とする請求項１乃至１３、１５のいずれかに記載の商品の販売方法。
【請求項１７】
販売時の第１の販売価格からユーザ情報による第２の販売価格への価格置換は、商品の注文後、予め設定された期間内に行うことを特徴とする請求項１乃至１３、１５、１６のいずれかに記載の商品の販売方法。
【請求項１８】
ユーザに対して、販売時の第１の販売価格からユーザ情報による第２の販売価格へ価格置換された販売価格で請求を行うことを特徴とする請求項１乃至１３、１５乃至１７のいずれかに記載の商品の販売方法。
【請求項１９】
ユーザに対して商品の代金決済が終わっている場合、販売時の第１の販売価格とユーザ情報による第２の販売価格との差額を前記ユーザに対して返金処理することを特徴とする請求項１乃至１３、１５乃至１８のいずれかに記載の商品の販売方法。
【請求項２０】
請求項１乃至１３、１５乃至１９のいずれかに記載の商品の販売方法を実行可能なプログラムが記録された記憶媒体。
【発明の詳細な説明】
技術分野
本発明は商品の販売方法に関し、特にインターネットと入札方式とを用いた商品の販売方法及び商品の購入方法に属する。
背景技術
従来、眼鏡やコンタクトレンズの販売店では、各々の店が独自にメーカや業者などから多様の商品を仕入れて、これらを販売している。
大規模店舗では、低価格で購入した商品を薄利多売する経営方式を取る。一方、小規模店舗では、ユーザ密着型の販売を行い、商品販売以外のサービス提供を含んだ経営方式を取ることも行われている。
しかしながら、従来技術には以下に掲げる問題点があった。
販売価格を一律に設定することは、規模の異なる全ての販売店における採算を確保できる仕入価格にはならず、また、規模の異なる販売店毎に、販売価格を設定することは多くの作業を伴うという問題点があった。
本発明は斯かる問題点を鑑みてなされたものであり、その目的とするところは、予め登録された複数の商品販売先から、インターネットを介して、希望商品購入価格や販売支援サービスに関する入札データを受付けることで、売買双方の利益を確保しつつ、規模の異なる商品販売先毎に、効率よいサービス支援や販売価格設定を行うことができる商品の販売方法及び商品の購入方法に関する技術を提供する点にある。
発明の開示
請求項１記載の本発明の要旨は、入札を利用した商品の販売方法であって、卸売りなどを行う商品販売元の商品販売支援手段が、予め登録された商品販売先の商品購入支援手段からインターネットなどのネットワークを介して商品購入希望価格の入札データを受付ける第１のステップと、前記商品購入希望価格が、予め設定され、内容が守秘された最低商品販売価格以上の場合、該当する商品販売先と商品販売契約を結ぶ第２のステップとを備えることを特徴とする商品の販売方法に存する。
請求項２記載の本発明の要旨は、前記第２のステップは、複数のグループ毎に登録された前記商品販売先からの前記商品購入希望価格が、前記グループ毎に設定された前記最低商品販売価格以上かどうか判断し、前記最低商品販売価格以上の前記商品購入希望価格を送信した前記商品販売先と前記商品販売契約を結ぶステップを含むことを特徴とする請求項１に記載の商品の販売方法に存する。
請求項３記載の本発明の要旨は、前記第２のステップは、予め、季節変動や前記商品販売先に対応する前記商品の送付先、注文数量、為替レート、納期など価格設定に影響する要素に基づき、前記グループ毎に登録された各々前記商品販売先毎に、前記最低商品販売価格を設定するステップを含むことを特徴とする請求項１又は２に記載の商品の販売方法に存する。
請求項４記載の本発明の要旨は、前記第１のステップは、所定の期間毎に締め切られる前記入札データついて、同一の商品販売先からの商品購入希望価格の受付回数に上限を設ける第３のステップを含むことを特徴とする請求項１乃至３のいずれかに記載の商品の販売方法に存する。
請求項５記載の本発明の要旨は、前記第２のステップは、価格設定に影響する前記要素や需給状況に従い、内容が守秘された前記最低商品販売価格を、予め公表するステップを含むことを特徴とする請求項１乃至４のいずれかに記載の商品の販売方法に存する。
請求項６記載の本発明の要旨は、前記第１のステップは、前記商品購入希望価格に対する最大数量、又は、最低数量を受付けるステップを含むことを特徴とする請求項１乃至５のいずれかに記載の商品の販売方法に存する。
請求項７記載の本発明の要旨は、前記商品販売支援手段は、前記商品販売契約を結んだ商品販売先、又は、一般の商品販売先に、二次元バーコードを利用したＰＯＳを貸出し、該ＰＯＳを利用した前記商品販売先における商品在庫の情報を受信し、前記商品販売先における商品在庫の管理を行うことで、商品の売れ筋を把握することを特徴とする請求項１乃至６のいずれかに記載の商品の販売方法に存する。
請求項８記載の本発明の要旨は、前記商品販売支援手段は、前記商品販売契約を結んだ商品販売先、又は、一般の商品販売先に設置された商品販売手段から、視力や体型などの測定結果と、ユーザによる商品の使われ方など使用環境とを含む前記ユーザに関するデータをインターネットなどのネットワークを介して受信し、登録された商品に関するデータベースの中から、前記ユーザに関するデータに基づき、最適な商品を選択し、予め登録されている商品製造者を含む商品供給者の中から最適な商品供給者を選択し、最適な前記商品に関するデータを、前記商品販売支援手段から前記ネットワークを介して、選択された前記商品供給者の商品製造手段、又は、端末に送信し、前記商品の供給指示を行うことを特徴とする請求項１乃至７のいずれかに記載の商品の販売方法に存する。
請求項９記載の本発明の要旨は、前記商品販売支援手段が、前記ユーザに関するデータを受信したとき、前記ユーザからの前記商品に関する質問を受付け、前記ユーザに前記質問に対する回答やアドバイスを、前記ネットワークを介して送信することを特徴とする請求項１乃至８のいずれかに記載の商品の販売方法に存する。
請求項１０記載の本発明の要旨は、前記商品の供給指示を行う場合、複数の前記商品供給者の商品製造手段、又は、端末に最適な前記商品に関するデータと見積依頼とを送信し、前記商品供給者から送信された製品価格と納期を含む見積条件に基づき最適な商品供給者を選択して、選択された最適な前記商品供給者に前記商品の供給を指示することを特徴とする請求項１乃至９のいずれかに記載の商品の販売方法に存する。
請求項１１記載の本発明の要旨は、最適な商品を選択するとき、
前記使用環境、眼鏡の色やデザインなど前記ユーザの嗜好を含む前記ユーザに関するデータと、レンズの特性と眼鏡フレームの特性とを有する前記商品に関するデータベースと、視力などの検眼データと３次元撮像技術を利用した顔面データとを有する前記測定結果とに基づき、前記データベースからレンズと眼鏡フレームとを選択して前記商品である眼鏡に組合わせ、前記顔面データと、レンズと眼鏡フレームとが組み合わされた前記眼鏡とを合成した前記ユーザの眼鏡着装画像を、前記ネットワークを介して、前記商品販売手段に送信し、前記ユーザに最適な眼鏡の選択に対する確認を促すことを特徴とする請求項１乃至１０のいずれかに記載の商品の販売方法に存する。
請求項１２記載の本発明の要旨は、前記商品の供給指示を行う場合、前記ユーザにより選択された最適な前記眼鏡に関するデータに含まれる前記レンズの特性と前記眼鏡フレームの特性と、前記ユーザの嗜好のデータとに基づき、予め前記ネットワークのサーバーに登録された複数の前記商品供給者の中から最適な商品供給者である眼鏡供給者を選択して、前記眼鏡の供給を指示することを特徴とする請求項１乃至１１のいずれかに記載の商品の販売方法に存する。
請求項１３記載の本発明の要旨は、前記ＰＯＳに二次元バーコード、三次元バーコードを含むバーコードやＯＣＲなどの記号・文字読取り技術を利用することを特徴とする請求項７に記載の商品の販売方法に存する。
請求項１４記載の本発明の要旨は、請求項１乃至１３のいずれかに記載の商品の販売方法における商品販売支援手段が、商品購入先の端末からインターネットなどのネットワークを介して商品販売希望価格の入札データを受付け、前記商品販売希望価格が、予め設定され、内容が守秘された最高商品購入価格以下／未満に該当する商品購入先、又は、最低の商品販売希望価格に該当する商品購入先から該当する商品を購入する商品売買契約を結ぶことを特徴とする商品の購入方法に存する。
請求項１５記載の本発明の要旨は、予め登録されたユーザに対して販売された商品が、一般販売網において前記商品を特定できる商品コードが設定されている場合、前記ユーザから、予め登録された他の一般販売網における前記商品の販売時における第１の販売価格より低い第２の販売価格の情報をインターネットなどのネットワークを介して受取ったとき、前記ユーザへの販売価格を前記第１の販売価格から前記第２の販売価格に価格置換することを特徴とする請求項１乃至１３のいずれかに記載の商品の販売方法に存する。
請求項１６記載の本発明の要旨は、販売時の第１の販売価格からユーザ情報による第２の販売価格への価格置換は、予め設定された販売価格以上の（より高い）場合に行うことを特徴とする請求項１乃至１３、１５のいずれかに記載の商品の販売方法に存する。
請求項１７記載の本発明の要旨は、販売時の第１の販売価格からユーザ情報による第２の販売価格への価格置換は、商品の注文後、予め設定された期間内に行うことを特徴とする請求項１乃至１３、１５、１６のいずれかに記載の商品の販売方法に存する。
請求項１８記載の本発明の要旨は、ユーザに対して、販売時の第１の販売価格からユーザ情報による第２の販売価格へ価格置換された販売価格で請求を行うことを特徴とする請求項１乃至１３、１５乃至１７のいずれかに記載の商品の販売方法に存する。
請求項１９記載の本発明の要旨は、ユーザに対して商品の代金決済が終わっている場合、販売時の第１の販売価格とユーザ情報による第２の販売価格との差額を前記ユーザに対して返金処理することを特徴とする請求項１乃至１３、１５乃至１８のいずれかに記載の商品の販売方法に存する。
請求項２０記載の本発明の要旨は、請求項１乃至１３、１５乃至１９のいずれかに記載の商品の販売方法を実行可能なプログラムが記録された記憶媒体に存する。
発明を実施するための最良の形態
以下、本発明の実施の形態を図面に基づいて詳細に説明する。
（実施の形態１）
第１図は、本実施の形態１に係る商品の販売方法を実行するための構成を示す図である。
第１図に示すように、本実施の形態１に係る商品の販売方法を実行するための構成は、インターネット１００と、眼鏡販売元（商品販売元）が管理する商品販売支援手段（眼鏡販売支援手段）１０と、各々の眼鏡販売店（商品販売先）が管理する商品購入支援手段３１１、３１２、・・・、３１ｎとで概略構成される。
商品販売支援手段１０は、予め登録された眼鏡販売店が利用する商品購入支援手段３１１（以下、商品購入支援手段３１１を代表して記載する）からインターネット１００を介して、商品購入希望価格の入札データを受信する。
商品販売元は、商品購入支援手段３１１が、商品購入希望価格を商品販売支援手段１０に予め設定されている最低商品販売価格以上と判断した場合、該当する眼鏡販売店と商品販売契約を結ぶ。
また、所定の期間毎に締切りが行われる入札ついて、同一の眼鏡販売店からの商品購入希望価格の受付回数には、例えば、１ヶ月につき２回などの上限が設けられる。
更に、入札データには、商品購入希望価格に対応して購入商品の最大数量、又は、最低数量を含めることもできる。これに従い、商品販売支援手段１０は、これらの入札データも受信し、商品販売元は、商品販売契約を結ぶとき、これらも付帯条件として契約することもできる。
商品販売契約に購入期間が付帯条件として設定された場合、商品販売元は、該当する眼鏡販売店に二次元バーコードを利用したＰＯＳ（図示せず）などを貸出す。
眼鏡販売店では、このＰＯＳにより、契約された購入期間での該当する商品の在庫管理を行う。この購入期間において、商品購入支援手段３１１に記憶される商品在庫の情報を商品販売支援手段１０に送信する。
商品販売元でも、商品販売支援手段１０が商品購入支援手段３１１に記憶された商品在庫の情報を、インターネット１００を介して受信することで、眼鏡販売店における契約された購入期間での該当する商品の在庫管理を行うことができる。
商品販売元における購入期間での該当する商品在庫の管理は、眼鏡販売店である眼鏡販売店で、売れ筋商品が予め設定された在庫水準以下（未満）になったとき、自動的に該当する商品を発送して、在庫補充するサービスも含まれる。
第２図は、本実施の形態に係る商品の販売方法における流れの一例を示すフローチャートである。
商品販売元における商品販売支援手段１０は、予め登録された眼鏡販売店が利用する商品購入支援手段３１１から、インターネット１００を介して商品購入希望価格の入札データを受信する（ステップＳ１）。
商品販売支援手段１０は、商品毎に、受信した商品購入希望価格が、予め設定されている最低商品販売価格以上かどうか判断する（ステップＳ２）。
ステップＳ２において、商品購入希望価格が最低商品販売価格以上（図中、Ｙｅｓ）の場合、該当する商品について、該当する眼鏡販売店との販売契約締結の処理をする（ステップＳ３）。この動作を受信した全ての最低商品販売価格以上の入札データについて行う。
商品販売支援手段１０から商品購入支援手段３１１に販売契約締結の通知データを送信する（ステップＳ４）。
ステップＳ２において、商品購入希望価格が最低商品販売価格未満（図中、Ｎｏ）の場合、商品販売支援手段１０から、該当する眼鏡販売店の商品購入支援手段３１１に販売契約の締結をしないことを通知し（ステップＳ１１）、終了する。
第２図のステップにおける最低商品販売価格以上かどうか判断する場合、予め眼鏡販売店（商品販売先）をグループ分けし、このグループ毎に最低商品販売価格を設定しておくこともできる。
グループ分けについて、具体的な例を説明する。この入札システムを利用する利用者（商品販売先を）を４種類に区分する（更に、詳細に区分することもできる）。この４つのグループ毎に各々最低商品販売価格が設定される。
第１のグループは、入会金・保証金を積む会社・個人など、主として直営店やＦＣ（フランチャイズ）店が対象となる。また、入会金や保証金を積み、対象となる会社や個人の調査をした後、商品販売元が別途認めた場合にもこのグループに含めることができる。このグループに属する商品販売先については、取引の信用があるため、最低商品販売価格を安く設定する。
第２のグループは、入会金のみを、積む会社・個人などが対象となる。主として会社データや個人データと入会金を納めることで、商品販売元が認めた場合に、このグループに区分される。保証金等がないため、最低商品販売価格は、第１のグループより高く設定される。
第３のグループは、身元保証がある会社・個人などが対象となる。入会金・保証金等の納入がないため、取引の信用関係に基づき、最低商品販売価格は、第２のグループより高く設定される。
第４のグループは、不特定多数の会社・個人が対象となる。主として一般会社や個人に適用される。与信などに関するデータ等が提供されていないので、最低商品販売価格は、第３のグループより高く設定される。
更に、４つに区分されたグループに登録された各々商品販売先毎に、季節変動、商品の送付先（国・地域）、注文数量、季節変動、為替レート（外国製品・輸入品対象）、納期等など、価格に影響する要素に基づき、自動的に、又は、所定の期間をおいて、最低商品販売価格に補正を加えることで、国外の商品販売先にも対応することができる。また、商品の需給状態や価格情勢に基づき、最低商品販売価格を、予め公表することもできる。
また、実施の形態１に係る商品の販売方法における入札形式は、商品を販売する形態をとっているが、商品販売元を商品購入元に置き換え、商品販売支援手段１０を利用することで、購入の入札形態を取ることもできる。例えば、この入札において、金券等を商品として扱い、商品購入元が価格をできるだけ安く購入するように働きかけることもできる。即ち、商品販売元、商品購入元の双方の機能を果たすことで、商品販売支援手段１０を、商品をできる限り高く売る、又は、商品をできる限り安く買うことに利用できる。
具体的には、商品購入元の商品販売支援手段１０が、商品購入先の端末からインターネット１００などのネットワークを介して商品販売希望価格の入札データを受付け、商品販売希望価格が、予め設定され、内容が守秘された最高商品購入価格以下／未満に該当する商品購入先、又は、最低の商品販売希望価格に該当する商品購入先から該当する商品を購入する商品売買契約を結ぶ。
なお、対象となる商品は、眼鏡やコンタクトレンズに限定されず、売買ができる商品、サービス提供も入札対象となる。
実施の形態１に係る商品の販売方法は上記の如く構成されているので、以下に掲げる効果を奏する。
予め登録された複数の眼鏡販売店から、インターネット１００を介して、希望商品購入価格や販売支援サービスに関する入札データを受付けることで、売買双方の利益を確保しつつ、規模の異なる眼鏡販売店毎に、効率よいサービス支援や販売価格設定を行うことができる。また、入札に関する価格を公表しないことにより、商品の値崩れを防止できるので、単発の激安設定も可能となる。
（実施の形態２）
第３図は、本実施の形態２に係る商品の販売方法を実行するための構成を示す図である。
第３図に示すように、本実施の形態に係る商品の販売方法を実行するための構成は、インターネット１００と、眼鏡販売元（商品販売元）が管理する商品販売支援手段（眼鏡販売支援手段）１０と、各々の眼鏡製造者（商品製造者）が管理する商品製造手段（眼鏡製造手段）２０１、２０２、・・・、２０ｎと、各々の眼鏡販売店（商品販売先）が管理する商品販売手段（眼鏡販売手段）３０１、３０２、・・・、３０ｎとで概略構成される。
商品販売支援手段１０は、眼鏡販売手段３０１（以下、眼鏡販売手段３０１を代表して表記する）から、ユーザ９０の視力などの検眼データや３次元撮像技術を利用した顔面データを含む測定結果、眼鏡の使われ方など使用環境などユーザ９０に関するデータをインターネット１００を介して受信する。
また、ユーザ９０に関するデータに基づき、ユーザに最適な眼鏡（商品）に関するデータを選択し、インターネット１００を介して眼鏡製造手段２０１（以下、眼鏡製造手段２０１を代表して表記する）に送信し、眼鏡の製造を指示する。また、眼鏡の納入先の指示も行うことができる。
第４図は、第３図の眼鏡販売手段３０１の構成を示す図である。
眼鏡販売手段３０１は、ユーザ９０に対する検眼手段３１０と、３次元撮像手段３２０と、使用環境などの質問をする対話型の対話手段３３０とを備える。
対話手段３３０が有するデータベースに保管される設問内容は、追加・更新することができる。例えば、設問に対応する選択肢の他に、ユーザ９０からの質問などの入力を受付け、この質問に対する回答やアドバイスをユーザ９０に与える。これらの質問、回答、アドバイスを設問内容への追加・更新に利用する。
眼鏡販売手段３０１は、検眼手段３１０によるユーザ９０の視力などの検眼データと３次元撮像手段３２０による顔面データと対話手段３３０による眼鏡の使われ方など使用環境を含むユーザ９０に関するデータを、インターネット１００を介して商品販売支援手段１０に送信する。
第５図は、第３図の商品販売支援手段１０の構成を示す図である。
商品販売支援手段１０は、記憶手段２０と最適選択手段３０と設問回答補助手段４０と製造指示手段５０とを備える。
記憶手段２０は、眼鏡のレンズや眼鏡フレームに関するデータベース、第４図における対話手段３３０が保管する設問内容に関するデータベースを記憶する。
最適選択手段３０は、記憶手段２０に登録された眼鏡に関するデータベースの中から、受信したユーザ９０に関するデータに含まれる顔面データと、眼鏡の色やデザインを含むユーザ９０の嗜好などに基づき、最適眼鏡の候補を選択する。
また、顔面データと、選択された眼鏡とを合成し、眼鏡着装画像を表示して、ユーザ９０に最適な眼鏡の選択を促す。
選択する方法は、視力などの検眼データを有する測定結果、眼鏡の使われ方など使用環境、レンズの特性、眼鏡フレームの特性などに基づき、軽量プラスチックや硬質厚型ガラスなど材質、比重、厚みなどのレンズの条件や、軽量、耐酸性など材質、比重などの眼鏡フレームの条件などで絞込みを行う。
設問回答補助手段４０は、対話手段３３０に入力されたユーザ９０からの質問を含むユーザ９０に関するデータを受信した場合、記憶手段２０に記憶される対話手段３３０が保管する設問内容に関するデータベースの追加・更新に利用される。また、設問回答補助手段４０を操作する技術者が即答できる場合は、リアルタイムで回答やアドバイスを対話手段３３０に送信し、ユーザ９０に通知する。
製造指示手段５０は、最適な眼鏡に関するデータを、商品販売支援手段１０からインターネット１００を介して眼鏡製造手段２０１（以下、眼鏡製造手段の代表として記載する）に送信し、眼鏡の製造を指示する。
また、ユーザ９０により選択された最適な眼鏡に関するデータに含まれるレンズの特性と眼鏡フレームの特性と、色や材質、デザインなどユーザ９０の嗜好とに基づき、予めインターネット１００のサーバーに登録された眼鏡製造手段２０１、２０２、・・・２０ｎを管理する眼鏡製造者の中から最適な眼鏡製造者を選択して、眼鏡の製造を指示する。
更に、予め登録された複数の眼鏡製造者に最適な眼鏡に関するデータと見積依頼とを送信し、眼鏡製造者から送信された製品価格と納期を含む見積条件に基づき最適な眼鏡製造者を選択して、選択された最適な眼鏡製造者に眼鏡の製造を指示することもできる。
また、眼鏡製造者に対して、製造された眼鏡を所定の場所、又は、所定の人物になど所定の届け先に納品する指示も行うこともできる。
次に、第３図の商品販売支援手段１０の他の利用例を説明する。
第６図は、第３図の商品販売支援手段１０における動作の一例を示すフローチャートである。
予め登録されたユーザ９０に対して販売された商品が、一般販売網において商品を特定できる商品コードが設定されている場合、ユーザ９０から、商品の注文時における第１の販売価格より低い、予め登録された他の一般販売網における第２の販売価格の情報を受取ったとき、ユーザ９０への販売価格を第１の販売価格から第２の販売価格に価格置換する。
商品販売支援手段１０は、商品を購入したユーザ９０からインターネット１００などのネットワークを介して他販売店の該当する商品の商品コードと販売価格に関する情報を受信する（ステップＳ２１）。
情報の送信者が予め登録されたユーザ９０かどうか判断する（ステップＳ２２）。
ステップＳ２２において、登録されたユーザ９０（図中、Ｙｅｓ）の場合、受信した商品コード、他販売店は登録されているかどうか判断する（ステップＳ２３）。
ステップＳ２３において、商品コード、他販売店が登録されている（図中、Ｙｅｓの）場合、ユーザ９０への販売価格（第１の販売価格）より他販売店の販売価格（第２の販売価格）が低いかどうか判断する（ステップＳ２４）。
ステップＳ２４において、他販売店の販売価格が低い（図中、Ｙｅｓの）場合、該当するユーザ９０への販売価格を他販売店の販売価格に置換える価格調整を行う（ステップＳ２５）。
ステップＳ２４において、他販売店の販売価格が低くない（図中、Ｎｏの）場合、処理を終了する。
ステップＳ２３において、受信した商品コード、又は、他販売店が登録されていない（図中、Ｎｏの）場合、処理を終了する。
ステップＳ２２において、ユーザ９０が登録されていない（図中、Ｎｏの）場合、処理を終了する。
また、第１の販売価格から第２の販売価格への価格置換は、予め設定された販売価格以上の（より高い）場合に行う。
置換えられた販売価格に従いユーザ９０への代金請求を行う。
更に、第１の販売価格から第２の販売価格への価格置換は、商品の注文後、予め設定された期間内に行う。
ユーザ９０に対して商品の代金決済が終わっている場合、第１の販売価格と第２の販売価格との差額をユーザ９０に対して値引き処理することもできる。
予め登録されたユーザ９０に対して販売された商品が、一般販売網において商品を特定できる商品コードが設定されている場合、ユーザ９０から、商品の注文時における第１の販売価格より低い、予め登録された他の一般販売網における第２の販売価格の情報をインターネット１００などのネットワークを介して受取ったとき、ユーザ９０への販売価格を第１の販売価格から第２の販売価格に価格置換する。
また、第１の販売価格から第２の販売価格への価格置換は、予め設定された販売価格以上の（より高い）場合に行う。
更に、第１の販売価格から第２の販売価格への価格置換は、商品の注文後、予め設定された期間内に行う。
ユーザ９０に対して商品の代金決済が終わっている場合、第１の販売価格と第２の販売価格との差額をユーザ９０に対して値引き処理することもできる。
実施の形態２に係る商品の販売方法は上記の如く構成されているので、実施の形態１が奏する効果の他に以下に掲げる効果を奏する。
ユーザ９０の視力などの検眼データと顔面データと眼鏡の使われ方など使用環境を含むユーザ９０に関するデータを受信したとき、ユーザ９０からの質問への回答やアドバイスを与えることで、ユーザ９０が納得する最適な眼鏡の選択ができる。
予め登録されている眼鏡製造者の中から最適な眼鏡製造者を選択して、インターネット１００を介して選択された眼鏡に関するデータを送信し、眼鏡の製造を指示（依頼）することで、実績を考慮して最も適切な眼鏡製造者に眼鏡の製造を依頼できる。また、製造するためのスペースを省略できる。
また、見積依頼を行うことで、納期、コストに関して最適な眼鏡をユーザ９０に提供できる。
なお、本実施の形態に係る商品の販売方法における商品販売手段３０１で扱う商品は、眼鏡に限定されず、服、帽子、靴や指輪などを含む装飾品にも適用できる。また、商品販売手段３０１が設置される販売場所には専門家や技術者の常駐は不要で、コンビニエンスストアの店舗なども対象となる。
また、本実施の形態において利用される二次元バーコードは、ＱＲコード、ベリコード、三次元コードを含むバーコードやＯＣＲなどの記号・文字読み取り技術に応用できることは明白である。
また、本実施の形態においては、本発明はそれに限定されず、本発明を適用する上で好適な、商品の販売方法及び商品の購入方法に関する技術に適用することができる。
また、上記構成部材の数、位置、形状等は上記実施の形態に限定されず、本発明を実施する上で好適な数、位置、形状等にすることができる。なお、各図において、同一構成要素には同一符号を付している。
産業上の利用可能性
本発明は以上のように構成されているので、以下に掲げる効果を奏する。
予め登録された複数の商品販売先から、インターネットを介して、希望商品購入価格や販売支援サービスに関する入札データを受付けることで、売買双方の利益を確保しつつ、規模の異なる商品販売先毎に、効率よいサービス支援や販売価格設定を行うことができる。
商品購入希望価格や最低商品販売価格などの価格が公表されず、かつ、最低商品販売価格は設定されているため、取引に関する価格交渉の時間を短くすることができる。また、購入入札により、商品を安く購入する機械も多くなる。
ユーザの視力などの検眼データと顔面データと眼鏡の使われ方など使用環境を含むユーザに関するデータを受信したとき、ユーザからの質問への回答やアドバイスを与えることで、ユーザが納得する最適な眼鏡の選択ができる。
また、インターネットを利用することで、複数の眼鏡製造者の中から技術、コスト、納期などを考慮して最適な眼鏡製造者を選択できる。
二次元バーコードを含むバーコード技術を利用したＰＯＳを各々複数の販売店で用いることにより、在庫商品についてきめ細かい管理を行うことができる。また、インターネットを介して各々の販売店での商品在庫情報を監視することで、各々の販売店における在庫切れを防ぐことができる。
予め登録された他の販売店において該当する商品が安値で販売されているのをユーザが確認したとき、既に購入した商品の販売価格について価格訂正の要求を受け、販売価格の調整をすることでユーザ離れを防ぐことができる。
予め設定された販売価格以上の（より高い）場合に値引き調整を行うので、販売価格の安値販売に歯止めをかけることができる。
価格調整を商品の注文後、予め設定された期間内に行うことで価格調整の受入期間に関して歯止めをかけることができる。
商品の代金決済が終わっている場合でも、第１の販売価格と第２の販売価格との差額をユーザに対して返金することで価格調整を行うことができる。
【図面の簡単な説明】
第１図は、本発明の実施の形態１に係る商品の販売方法を実行するための構成を示す図である。
第２図は、本発明の実施の形態に係る商品の販売方法における流れの一例を示すフローチャートである。
第３図は、本発明の実施の形態２に係る商品の販売方法を実行するための構成を示す図である。
第４図は、第３図の眼鏡販売手段の構成を示す図である。
第５図は、第３図の商品販売支援手段の構成を示す図である。
第６図は、第３図の商品販売支援手段における動作の一例を示すフローチャートである。
【図１】
2002039334.tif 000003
【図２】
2002039334.tif 000004
【図３】
2002039334.tif 000005
【図４】
2002039334.tif 000006
【図５】
2002039334.tif 000007
【図６】
2002039334.tif 000008
【国際調査報告】
2002039334.tif 000009
2002039334.tif 000010
2002039334.tif 000011
2002039334.tif 000012